(57)【特許請求の範囲】
【請求項１】
紙材打抜き用面板を台座に固定する面板装置において、前記台座は、紙材の端部を支持するクランプの咥え部に対応する凹部と、前記凹部に隣接する凸部とを備え、前記凸部には、前記面板を規制するガイド片を設けたことを特徴とする面板装置。
【発明の詳細な説明】
【０００１】
【発明の属する技術分野】
本発明は、紙材打抜き用面板を台座に固定する面板装置に関する。
【０００２】
【従来の技術】
組み立て箱等の紙器を製作する工程において、紙材を所定の形状のブランクに加工する紙材打抜き工程は、紙材に切り線を入れる切断刃と、折り線を入れる筋刃とを備えた抜型を、これらの刃を受支する面板の上に載せた紙材に押し当てて行われている。
【０００３】
このように紙材を加工する紙材打抜き装置の一例を図７に示す。
【０００４】
この打抜き装置７０は、所定の形状のブランクに対応する切断刃及び筋刃が設けられた抜型７１と、この抜型７１が設置された昇降部７２と、この昇降部７２の下方に設けられた台座７４と、この台座７４に装着された面板７３とで構成されている。面板７３の表面には、台紙を貼設することによって、抜型の筋刃に対応する溝が形成されている。
【０００５】
紙材Ｋは、循環チエン等に設けられたクランプに端部を支持されて搬送され、面板７３の表面上にもたらされる。そして、昇降部７２が下降することにより抜型７１が押し当てられて、切れ線及び折り線が入れられて打抜かれる。
【０００６】
このような紙材打抜き装置において、面板に台紙を貼設して筋刃に応じた溝を形成する作業は、一般に面堀りと称されており、精密で時間の掛かる面倒な作業であるため、同型のブランクを再度加工する場合には、面堀りを施した面板を装置から取り外して保存し、これを繰り返し利用する。
【０００７】
すなわち、面板は、もとより切断刃及び筋刃を受支する際の衝撃圧に耐え得る頑強なものであるが、面板を支える台座を設けることによって、薄型化且つ軽量化されており、取り扱い性の向上、並びに単価コストの低減がなされている。
【０００８】
この種の面板及び台座としては、例えば、特公平６―５０１５９号に開示された紙器抜型受面板がある。この紙材抜型受面板は、台座の表面に設けたガイドにて面板本体の固定位置を規制するとともに、面板本体を台座の表面に設けたマグネットで吸着するように構成されている。
【０００９】
【発明が解決しようとする課題】
ところで、前述したような面板は、抜型と対応させるべく、台座に対して正確に位置決めする必要がある。
【００１０】
従って面板は、台座に設けたガイドと正確に合致するように、厳密な寸法精度を要し、加工コストが非常に高いものであった。
【００１１】
また、ガイドとしては、台座に対して適宜着脱可能に構成されたものもあるが、そのようなガイドを用いた場合は、ガイドの取り付け位置、角度が微妙に異なるなどして、面板の固定位置がずれてしまう場合が顕著であった。
【００１２】
更に、前記特公平６―５０１５９号に開示されたもののように、面板を台座の表面に設けたマグネットで吸着する場合は、面板を位置決めしたり台座から外したりする際に、その吸着力が邪魔になり、面板を取り扱うのが困難になるという不都合もあった。
【００１３】
また、そのようなマグネットは、通常、台座の表面一帯に多数の孔をあけて埋め込まれており、台座の強度及び耐久性は、マグネットを埋め込む孔をあけることにより低下してしまう虞もあった。
【００１４】
また、クランプの咥え部に端部を挟持された紙材を打抜く際は、クランプの咥え部と面板とをできるだけ接近させるのが望ましい。これは、クランプの咥え部から面板までの紙材の部分が、打抜くことができずに無駄になるためである。
【００１５】
そこで本発明は、これらの諸問題を鑑みて、紙材打抜き用面板を台座に固定する面板装置において、前記面板を効率よく固定することができる面板装置を提供することを目的としている。
【００２１】
【課題を解決するための手段】
本願第１請求項に記載した発明は、紙材打抜き用面板を台座に固定する面板装置において、前記台座は、紙材の端部を支持するクランプの咥え部に対応する凹部と、前記凹部に隣接する凸部とを備え、前記凸部には、前記面板を規制するガイド片を設けた構成の面板装置である。
【００２２】
このように、本発明の面板装置によると、台座は、紙材の端部を支持するクランプの咥え部に対応する凹部と、凹部に隣接する凸部とを備え、凸部には、面板を規制するガイド片を設けたので、面板は、台座の凹部の近傍に位置決めされて、紙材を打抜く際は、面板とクランプの咥え部とが接近する。その結果、紙材が十分に利用される。
【００２３】
すなわち、クランプの咥え部から面板までの間の紙材は、打抜くことができずに無駄となるが、本発明では、凸部に設けたガイド片で面板の固定位置を設定することにより、そのような紙材の無駄が削減される。
【００３２】
【発明の実施の形態】
以下に、本発明を図示の具体例に基いて詳細に説明する。
【００３３】
図１乃至図２に示すように、本例の面板装置１は、紙材打抜き用面板２を台座３に固定して構成されている。
【００３４】
面板２は、所定の抜型の切断刃及び筋刃を受支するものであって、その表面には、台紙（図示は省略）を貼設することによって、筋刃と対応する溝が形成されている。
【００３５】
台座３は、紙材Ｋを支持するクランプ４の咥え部４１，４１に対応する複数の凹部と、この凹部に隣接する複数の凸部３ａ，３ａとを備え、これらの凸部３ａ，３ａ及びその他の所定の部位には、前記面板２を規制する複数のガイド片５，５を装着している。
【００３６】
また、この台座３には、面板２を台座３との間に挟持する複数の固定部材６，６’をねじ止めして設けている。尚、図２中の６１及び６１’は、ねじ止め用の雄ねじ部品であり、６２及び６２’は、これらの雄ねじ部品６１，６１’を挿通する挿通部である。そして、台座３の要所には、雄ねじ部品６１，６１’を螺合するねじ孔を形成している。
【００３７】
また、固定部材６は、その要所にガイド片５を露呈する切欠６ａを設けることにより、ガイド片５との干渉を回避するように構成している。
【００３８】
各ガイド片５，５は、図３に示すように、それぞれ、その基端に雄ねじ部５１を形成した円柱状のものであって、雄ねじ部５１を台座３側に設けた雌ねじ部５２に螺合することによって装着されている。また、各ガイド片５，５の頭部には、ドライバー等の回転工具を係合するすりわりを形成している。
【００３９】
面板２の位置決めは、台座３にガイド片５，５を装着し、面板２の縁部をこれらのガイド片５，５に当接して行われる。
【００４０】
ここで、台座３の凸部３ａ，３ａには、二個以上のガイド片５，５を設けており、面板２は、クランプ４の咥え部４ａと近接するように位置決めされる。
【００４１】
すなわち、本例の面板２は、長方形を呈するものであり、その一辺を台座３の凸部３ａ，３ａに設けた複数のガイド片５，５に当接させつつスライド移動して、他の一辺をその他のガイド片５に当接することにより位置決めされる。
【００４２】
特に、台座の各突部３ａ，３ａには、一直線上に複数の雌ねじ部５２，５２を設けており、これらの雌ねじ部５２，５２のうちの二つを適宜選択し、これにガイド片５，５を螺合するようにしている。
【００４３】
尚、面板２を位置決めする際は、図４に示すように、台座３表面の適宜部位に孔部３２を形成し、これに差し込んだ梃子Ｔを、面板２と当接する状態で起倒して、面板２をガイド片５に押し付けるように移動するようにしてもよい。梃子Ｔとしては、雄ねじ部品６１，６１’の螺合に用いるドライバー等を利用するとよい。
【００４４】
面板２の固定は、面板２を位置決めした後、台座３に固定部材６，６’をねじ止めして行われる。
【００４５】
各固定部材６，６’は、図５に示すように、通孔６２，６２’に挿通した雄ねじ部品６１，６１’を、台座３に形成したねじ孔に螺合して設けられるとともに、面板２を台座３との間に挟持するように設けられる。
【００４６】
とりわけ、各雄ねじ部品６１，６１’は、所謂皿ねじであり、挿通部６２，６２’においては、それらのねじ頭が隠れるようにしている。すなわち、固定部材６，６’及び雄ねじ部品６１，６１’は、紙材Ｋを打抜く際に抜型と突き当たることがないように、面板２の表面からの突出程度が小さくなるように構成している。
【００４７】
尚、固定部材６に設けた切欠６ａによると、面板２の縁部とガイド片５との当接を容易に確認することができるので、面板２をずらさないように固定することができる。
【００４８】
また、各固定部材６，６’の縁部には、それぞれ、台座３に対して外側から内側に亘るテーパー６３，６３’を設けている。このため、面板２は、固定部材６，６’のうちの複数個を仮止めするなどして設けた後に、これらのテーパー６３，６３’を利用することにより、台座３と固定部材６，６’との隙間に差込むこともできる。
【００４９】
更に、所定の固定部材６’における各挿通部６２’，６２’は、雄ねじ部品６１’，６１’を移動可能に保持する長孔である。
【００５０】
従って、この固定部材６’は、台座３に対して、雄ねじ部品６１’６１’の締め付けを緩めることにより、挿通部６２’，６２’の向きに沿って移動することができる。
【００５１】
このように所定の固定部材６’が移動可能であると、面板２は、雄ねじ部品６１，６１’を台座３のねじ孔に螺合したまま交換することができる。すなわち、面板２の交換は、雄ねじ部品６１，６１’と台座３に形成したねじ孔との位置合わせをせずとも行うことができる。
【００５２】
尚、面板２は、固定部材６’の移動を利用してスライド移動させることもできる。更に、このような面板２のスライド移動をより安定させるには、所定の固定部材６’の適宜部位に、面板２の縁部と確実に当接される突部を形成しておくとよい。
【００５３】
また、所定の固定部材６’は、台座３の適宜部位を切欠いて、その下面に支持した支持部材３１，３１にねじ止めしている。この構成によれば、固定部材６’の支持強度を向上することができる。
【００５４】
この面板装置１において、面板２と大きさの異なる面板２’を使い分ける場合は、図６に示すように、ガイド片５，５を移動することによって、この面板２’に対応した固定位置を設定する。
【００５５】
すなわち、本例では、台座３の要所にそれぞれ雌ねじ部５１，５１を設けているので、ガイド片５，５の取り付け位置を適宜移動することができ、このように固定位置が異なる複数の面板２，２’を使い分けることもできる。
【００５６】
また、同図に示すように、比較的小さな面板２’は、固定部材６，６’を用いずとも、粘着テープＮ，Ｎ等にて固定するようにしてもよい。固定部材６，６’は、邪魔にならいのであれば、取り外す必要はない。
【００５７】
以上説明したように、本例の面板装置によると、面板を規制する円柱状のガイド片を備え、ガイド片の基端に雄ねじ部を設けるとともに、台座に雄ねじ部と螺合する雌ねじ部を設けたので、ガイド片は、台座に対し、雄ねじ部を雌ねじ部に螺合することによって、簡単に取り付けることができる。すなわち、面板の固定位置を容易に設定することができる。
【００５８】
特に、ガイド片は、円柱状であることから、雄ねじ部と雌ねじ部との締めつけ具合が多少異なっても、同様に取り付けることができる。従って、面板の固定位置は、正確に設定することができる。
【００５９】
また、面板は、このようなガイド片に当接することにより位置決めするので、厳密な寸法精度を要せずともよく、その加工コストを低減することができる。
【００６０】
また、台座の要所にそれぞれ雌ねじ部を設ければ、ガイド片の取り付け位置が適宜移動可能となり、固定位置が異なる複数の面板を使い分けることができる。
【００６１】
また、本例の面板装置によると、台座は、紙材の端部を支持するクランプの咥え部に対応する凹部と、凹部に隣接する凸部とを備え、凸部には、面板を規制するガイド片を設けたので、面板は、台座の凹部の近傍に位置決めすることができ、紙材を打抜く際は、面板とクランプの咥え部とを接近することができる。その結果、紙材を十分に利用することができる。
【００６２】
すなわち、クランプの咥え部から面板までの間の紙材は、打抜くことができずに無駄となるが、本発明では、凸部に設けたガイド片で面板の固定位置を設定することにより、そのような紙材の無駄を削減することができる。
【００６３】
また、本例の面板装置によると、面板を台座との間に挟持する固定部材を備え、固定部材は、台座にねじ止めして設けるとともに、その縁部には、台座に対して外側から内側に亘るテーパーを設けたので、面板は、台座と固定部材との間に挟持することによって、確実に固定することができる。
【００６４】
また、固定部材の縁部に設けたテーパーによると、面板は、台座と固定部材との間に容易に差込むこととができる。また、固定部材は、ねじ止めして設けるので、必要に応じて取り外すことができる。従って、面板を交換する作業は、容易に行うことができる。
【００６５】
とりわけ、従来のように、面板を台座の表面に設けたマグネットで吸着するように構成されたものであると、面板を位置決めしたり台座から外したりする際に、その吸着力が邪魔になり、面板を取り扱うのが困難になるという不都合があったが、本例によれば、そのような不都合を解消することができる。
【００６６】
また、従来では、そのようなマグネットは、台座の表面一帯に多数の孔をあけて埋め込まれており、台座の強度及び耐久性は、マグネットを埋め込む孔をあけることにより低下してしまう虞もあったが、本例では、そのような不都合を解消することができる。
【００６７】
また、本例の面板装置によると、固定部材において、ねじ止め用の雄ねじ部品を挿通する挿通部は、雄ねじ部品を移動可能に保持する長孔であるので、固定部材は、台座に対して、雄ねじ部品の締め付けを緩めることにより、挿通部の向きに沿って移動することができる。
【００６８】
すなわち、面板を交換する際には、台座に雄ねじ部品を螺合したまま固定部材を移動することができるので、その作業をより容易に行うことができる。
【００７４】
【発明の効果】
本願第１請求項に記載した発明は、紙材打抜き用面板を台座に固定する面板装置において、前記台座は、紙材の端部を支持するクランプの咥え部に対応する凹部と、前記凹部に隣接する凸部とを備え、前記凸部には、前記面板を規制するガイド片を設けた構成の面板装置である。
【００７５】
このように、本発明の面板装置によると、台座は、紙材の端部を支持するクランプの咥え部に対応する凹部と、凹部に隣接する凸部とを備え、凸部には、面板を規制するガイド片を設けたので、面板は、台座の凹部の近傍に位置決めすることができ、紙材を打抜く際は、面板とクランプの咥え部とを接近することができる。その結果、紙材を十分に利用することができる。
【００７６】
すなわち、クランプの咥え部から面板までの間の紙材は、打抜くことができずに無駄となるが、本発明では、凸部に設けたガイド片で面板の固定位置を設定することにより、そのような紙材の無駄を削減することができる。
【００８５】
【図面の簡単な説明】
【図１】本発明の具体例に係り、面板装置を示す外観図である。
【図２】本発明の具体例に係り、面板及び台座を示す外観図である。
【図３】本発明の具体例に係り、台座及びガイド片をしめす外観図である。
【図４】本発明の具体例に係り、面板の移動方法を示す説明図である。
【図５】本発明の具体例に係り、台座及び固定部材を示す外観図である。
【図６】本発明の具体例に係り、面板及び台座を示す外観図である。
【図７】従来例に係り、紙材打抜き装置を示す概要図である。
【符号の説明】
１      面板装置
２      面板
３      台座
３ａ      凸部
４      クランプ
５      ガイド片
６      固定部材
６ａ      切欠
６’      固定部材
３１      支持部材
３２      孔部
４１      咥え部
５１      雄ねじ部
５２      雌ねじ部
６１      雄ねじ部品
６１’      雄ねじ部品
６２      挿通部
６２’      挿通部
６３      テーパー
６３’      テーパー
７０      紙材打抜き装置
７１      抜型
７２      昇降部
７３      面板
７４      台座
Ｋ      紙材
Ｎ      粘着テープ
Ｔ      梃子
【図１】
0003565733.tif 000002
【図２】
0003565733.tif 000003
【図３】
0003565733.tif 000004
【図４】
0003565733.tif 000005
【図５】
0003565733.tif 000006
【図６】
0003565733.tif 000007
【図７】
0003565733.tif 000008